(57)【要約】【課題】蝉が産卵しにくい被覆ケーブルを提供する。【解決手段】心線２と、心線２に平行に両側に配置されたテンションメンバ３と、更にその外側に配置された支持線４と、これらを被覆する樹脂からなり外周に心線２と平行な平面を有する被覆材５とを備え、被覆材５の表面に心線２に沿って長寸方向に溝５ｄが形成されているものにおいて、心線２の径方向に切断したとき、溝５ｄの開口中心と底中心とを結ぶ直線が心線２及びテンションメンバ３を含む面に直交していないか、又は心線及びテンションメンバを含む面に直交する方向に溝を投影したとき、溝５ｄの開口部と底とが重ならないことを特徴とする。【選択図】図３
2007041337.tif 000002
【特許請求の範囲】
【請求項１】
心線と、心線に平行に配置されたテンションメンバと、これらを被覆する樹脂からなる被覆材とを備え、被覆材の表面に心線に沿って長寸方向に溝が形成されているものにおいて、
心線の径方向に切断したとき、溝の開口中心と底中心とを結ぶ直線が心線及びテンションメンバを含む面に直交していないことを特徴とする被覆ケーブル。
【請求項２】
心線と、心線に平行に配置されたテンションメンバと、これらを被覆する樹脂からなる被覆材とを備え、被覆材の表面に心線に沿って長寸方向に溝が形成されているものにおいて、
心線及びテンションメンバを含む面に直交する方向に溝を投影したとき、溝の開口部と底とが重ならないことを特徴とする被覆ケーブル。
【請求項３】
心線と、心線を被覆する樹脂からなり外周に心線と平行な平面を有する被覆材とを備え、その面に心線に沿って長寸方向に溝が形成されているものにおいて、
心線の径方向に切断したとき、溝の開口中心と底中心とを結ぶ直線が前記面に直交していないことを特徴とする被覆ケーブル。
【請求項４】
心線と、心線を被覆する樹脂からなり外周に心線と平行な平面を有する被覆材とを備え、その面に心線に沿って長寸方向に溝が形成されているものにおいて、
前記面に直交する方向に溝を投影したとき、溝の開口部と底とが重ならないことを特徴とする被覆ケーブル。
【請求項５】
心線と、心線を被覆する樹脂からなる被覆材とを備え、被覆材の表面に心線に沿って長寸方向に溝が形成されているものにおいて、
心線の径方向に切断したとき、溝が折れ曲がっていることを特徴とする被覆ケーブル。
【発明の詳細な説明】
【技術分野】
【０００１】
この発明は、被覆ケーブル、特に架空配線系光ファイバーケーブルから各ユーザー宅へ光ファイバーを引き込むドロップケーブルに関する。
【背景技術】
【０００２】
ドロップケーブルは、図５に径方向断面図として示すように、一般に光ファイバー心線２２と、心線の両側に配置されて細い心線を保護するテンションメンバ２３と、ケーブルの自重を支える鋼製の太い支持線２４と、これらを被覆する樹脂からなる被覆材２５とからなっている。ドロップケーブル２１は使用前にコイル状に巻かれて保管されることから、高密度に巻くために被覆材２５の輪郭は心線２２及びテンションメンバ２３を含む面に平行な平面がほぼ平坦に形成されている。光ファイバー心線２２は、ケーブルの端部における被覆材２５を手で引き裂くことによって取り出され、ユーザー宅の端末機に接続される。そこで、この引き裂きを容易にするために被覆材２５の両面に心線２２に沿って径方向断面Ｖ字状の溝２５ｄが形成されている。
【特許文献１】特開２００５−１２１７４９
【発明の開示】
【発明が解決しようとする課題】
【０００３】
しかし、近年晩夏になると、蝉が前記溝２５ｄに産卵し、その際に針のような産卵管によって被覆材２５に亀裂を生じさせることがしばしばあることが判明した。被覆材２５における亀裂は、心線２２の特性を劣化させてしまい、ケーブル２１毎取り替えなければならない事態を生じる。
それ故、この発明の課題は、蝉が産卵しにくい被覆ケーブルを提供することにある。
【課題を解決するための手段】
【０００４】
その課題を解決するために、この発明の被覆ケーブルは、
心線と、心線に平行に配置されたテンションメンバと、これらを被覆する樹脂からなる被覆材とを備え、被覆材の表面に心線に沿って長寸方向に溝が形成されているものにおいて、
心線の径方向に切断したとき、溝の開口中心と底中心とを結ぶ直線が心線及びテンションメンバを含む面に直交していないことを特徴とする。
【０００５】
蝉が溝内に産卵する理由は定かでないが、産卵管をまっすぐ差し込んだ場合に産卵管がちょうど溝の底に達すること、溝の両内面が卵を保温したり外敵から保護したりするのに好適であること等が挙げられる。一方、被覆ケーブルは、ユーザー宅への引き込み時には心線及びテンションメンバを含む面が壁などの取り付け面に沿うようにして這わせられる。従って、溝の開口中心と底中心とを結ぶ直線が前記面に直交しないケーブル構造とすることで、径方向断面視において溝が取り付け面に対して傾斜することとなる。その結果、蝉が産卵管をまっすぐに入れてもその先が底に到達せず、あるいは蝉が産卵管を奥まで差し込みにくくなり、産卵しにくくなる。
【０００６】
そこで、この発明の被覆ケーブルを別の局面からみれば、
心線と、心線に平行に配置されたテンションメンバと、これらを被覆する樹脂からなる被覆材とを備え、被覆材の表面に心線に沿って長寸方向に溝が形成されているものにおいて、
心線及びテンションメンバを含む面に直交する方向に溝を投影したとき、溝の開口部と底とが重ならないことを特徴とする。
【０００７】
また、この発明の被覆ケーブルを更に別の局面からみれば、
心線と、心線を被覆する樹脂からなり外周に心線と平行な平面を有する被覆材とを備え、その面に心線に沿って長寸方向に溝が形成されているものにおいて、
心線の径方向に切断したとき、溝の開口中心と底中心とを結ぶ直線が前記面に直交していないことを特徴とする。
前記の通り、被覆材の外周に心線と平行な平面が形成されているケーブルの場合、その面が取り付け面に当接するようにしてケーブルが這わせられる。従って、このような場合でも溝の開口中心と底中心とを結ぶ直線が前記面に直交しないケーブル構造とすることで、径方向断面視において溝が取り付け面に対して傾斜することとなる。
【０００８】
そこで、更にまたこの発明の被覆ケーブルを別の局面からみれば、
心線と、心線を被覆する樹脂からなり外周に心線と平行な平面を有する被覆材とを備え、その面に心線に沿って長寸方向に溝が形成されているものにおいて、
前記面に直交する方向に溝を投影したとき、溝の開口部と底とが重ならないことを特徴とする。
【発明の効果】
【０００９】
蝉の産卵が抑制されるので、ケーブルの寿命が延び、信頼性が向上する。
【発明を実施するための最良の形態】
【００１０】
−実施形態１−
図１はこの発明の第一の実施形態に係る被覆ケーブルを示す正面図、図２は同じく背面図、図３は図１におけるＡＡ断面図である。  被覆ケーブル１は、２本の光ファイバー心線２、２と、心線２の両側に配置されて細い心線２を保護するテンションメンバ３、３と、ケーブル１の自重を支える鋼製の太い支持線４と、これらを被覆する樹脂からなる被覆材５とからなっている。
【００１１】
被覆材５は、心線２及びテンションメンバ３を被覆する心線エレメント部５ａと、支持線４を被覆する支持線エレメント部５ｂとに分けられ、これらが薄肉の接続部５ｃを介して連結されている。心線エレメント部５ａは、心線２、２を中心とし、基本的にテンションメンバ３、３を結ぶ直線の方向に長い断面長方形をなす。そして、その一方の稜角と対向する稜角とから心線２に向かって各々溝５ｄが切り込まれている。２つの溝５ｄは、心線２に達する前に曲がって互いに平行になり、心線２を間にして対向するとともに、稜角から遠い方の心線２の位置を最奥としている。支持線エレメント部５ｂは、支持線４と同心円の輪郭を有する。
【００１２】
被覆材５は、心線２、テンションメンバ３及び支持線４に対応する軸方向の貫通孔が形成された内型と、被覆材５の断面輪郭に対応する断面形状を有する軸方向の貫通孔が形成された外型とで成形される。即ち、内型の各貫通孔に各線材を通して送りながら、内型と外型との間隙に樹脂を流し込み、線材と樹脂を一緒に外型の貫通孔より押し出す。その後、樹脂を硬化させることにより、線材の周囲に被覆材５が成形される。
【００１３】
ケーブル１は、使用前は心線２、テンションメンバ３及び支持線４を含む面が巻軸と平行になるように巻かれて保管される。一方、ケーブル１を使用するときは、ケーブル１が架空配線光ファイバーケーブルからユーザー宅に向かって引き込まれ、ユーザー宅に達すると巻軸と平行な前記面が壁などの取り付け面に平行になるように、即ち図３において心線エレメント部５ａの一方の長辺が取り付け面に密着するようにしての端末機に向かって這わせられる。そして、取り付け面から離れるときは心線エレメント部５ａと支持線エレメント部５ｂとが分離されて心線エレメント部５ａのみ端末機方向に導かれ、更に端末機付近に至ると心線エレメント部５ａが溝５ｄのところで引き裂かれることにより心線２を露出させて端末機に接続する。
【００１４】
ケーブル１は、溝５ｄが取り付け面に対して傾斜し且つ底付近で折れ曲がっている、あるいは取り付け面に直交する方向から溝５ｄを眺めたとき溝５ｄの底が見えない。万一、蝉が産卵管を斜めに挿入しても、途中の折れ曲がり部分に産卵管が当たる。このため、蝉が産卵管を奥まで差し込むことができない。従って、心線２が産卵管で傷つけられるのを未然に防ぐことができる。
【００１５】
−実施形態２−
図４は、第二の実施形態に係る被覆ケーブルを示す径方向断面図である。被覆ケーブル１１も、第一の実施形態と同じく２本の光ファイバー心線１２、１２と、テンションメンバ１３、１３と、支持線１４と、被覆材１５とからなっている。心線１２、テンションメンバ１３及び支持線１４については第一の実施形態と同形同質であってよいので、説明を省略する。
【００１６】
被覆材１５は、溝１５ｄの形状が第一の実施形態と異なる。即ち、溝１５ｄの開口部の支持線１４側端縁は支持線１４側の稜角より約四分の一辺長離れた位置にあり、他方の端縁は約二分の一辺長離れた位置にある。そして、溝１５ｄは心線１２に向かうに連れて先細りとなっている。
ケーブル１１の保管方法及び使用方法は、第一の実施形態と同じである。ケーブル１１も、溝１５ｄが取り付け面に対して傾斜している、あるいは取り付け面に直交する方向から溝１５ｄを眺めたとき溝１５ｄの底が見えない。このため、蝉が産卵管を奥まで差し込みにくい。従って、心線１２が産卵管で傷つけられるのを未然に防ぐことができる。
【図面の簡単な説明】
【００１７】
【図１】実施形態１に係る被覆ケーブルを示す正面図である。
【図２】同じく背面図である。
【図３】図１におけるＡＡ断面図である。
【図４】実施形態２に係る被覆ケーブルを示す径方向断面図である。
【図５】従来の被覆ケーブルを示す径方向断面図である。
【符号の説明】
【００１８】
１，１１  被覆ケーブル
２，１２  心線
３，１３  テンションメンバ
４，１４  支持線
５，１５  被覆材
５ｄ，１５ｄ  溝
【図１】
2007041337.tif 000003
【図２】
2007041337.tif 000004
【図３】
2007041337.tif 000005
【図４】
2007041337.tif 000006
【図５】
2007041337.tif 000007